(57)【特許請求の範囲】
【請求項１】
水平面を構成するフード本体上板と、この上板に所定の間隔を置いて同一平面上に位置するように配置する同方向回転の二つの遠心多翼ファンと、これらのファンの周囲を包囲して各々インボリュート型の送風路を構成する一体のケーシングと、そのケーシングの下面を覆う下板と、両送風路の合流部を仕切り、上記上板に開設した送風路出口内へ延出するように設ける垂直ガイド体とから成るレンジフードファン。
【請求項２】
上記垂直ガイド体は、下板の両送風路合流位置にて送風路出口へ向け延出し、その両流路側面を送風路内において断面略円弧状に凹曲せしめて成る請求項１記載のレンジフードファン。
【請求項３】
上記両遠心多翼ファンの構成を共通せしめて成る請求項１又は２記載のレンジフードフ
ァン。
【発明の詳細な説明】
【技術分野】
【０００１】
本発明はレンジフードファン、更に詳しくはフード本体が薄型で且つ比較的多い送風量を要求されるレンジフードファンに関するものである。
【背景技術】
【０００２】
従来のレンジフードファンの中にはフード本体の形状を薄型にまとめ、このフード本体の内部にシロッコ式のファンを内装した薄型のものがある。このタイプのレンジフードファンは設置スペースの関係やデザイン的な要求から、フード本体の形態を出来るだけ薄くまとめることが重要な要素である。
一方、レンジフードファンの機能として、必要な送風量を確保することが要求されるが、薄型レンジフードファンにおいて、要求される送風量を実現するために駆動ファンを大きくすると、ケーシングが厚くなって薄型のフード本体に収納できなくなり、その結果、フード本体の厚みを増すことを余儀なくされていた。
また、従来のレンジフードファンの中には、要求される送風量を確保するために、駆動ファンを２個設置して構成したものもあるが（例えば特許文献１参照）、通常、送風機のケーシングは上板、下板、胴、取付台の４つの部品から構成されることが多いため、部品点数が倍増してコスト高を招くことになっていた。さらに、両駆動ファンの回転方向が異なることから、送風路の形状等を合理的にまとめることが難しく、排気流の圧力損出等により効率的な排気が実現できず、二つの送風機を合理的に利用しているとは云えなかった。
【特許文献１】特開２００５−１８０７７７号公報
【発明の開示】
【発明が解決しようとする課題】
【０００３】
本発明は上記ような従来事情に鑑みなされたものであり、その目的とする処は、薄型のレンジフード本体を維持しつつ、要求される送風量を効率的に、且つ合理的な構造を実現して確保することにある。
【課題を解決するための手段】
【０００５】
本発明は、上記目的を達成するために下記の技術的手段を採用した。
第１発明のレンジフードファンは、二つの遠心多翼ファンを合理的に具備するために、水平面を構成するフード本体上板と、この上板に所定の間隔を置いて同一平面上に位置するように配置する同方向回転の二つの遠心多翼ファンと、これらのファンの周囲を包囲して各々インボリュート型の送風路を構成する一体のケーシングと、そのケーシングの下面を覆う下板と、両送風路の合流部を仕切り、上記上板に開設した送風路出口内へ延出するように設ける垂直ガイド体とから成るものである。
上記した遠心多翼ファンは、多翼ファンとそれを回転駆動する駆動モータから構成するものである。また、上記ガイド体は両送風路内を流れる排気同士を分離しつつ送風路出口へ向けて垂直方向へ方向変換するものであって、両送風路の合流部を仕切って送風路出口内へ向けて延出するものであれば、どのような形態であってもよい。
【０００６】
第２発明のレンジフードファンは、両送風路からの排気の流れをそれぞれ垂直方向へ方向変換するガイド体の形態を最適化したものであり、前記ガイド体の形態を、下板の両送風路合流位置にて送風路出口へ向け延出し、その両流路側面を送風路内において断面略円弧状に凹曲せしめて成るものである。
【０００７】
第３発明のレンジフードファンは、部品の共通化を図ったものであり、上記両遠心多翼ファンの構成を共通せしめてなるものである。ファンの構成とは遠心多翼ファンとこれを回転駆動する駆動モータのことである。
【発明の効果】
【０００９】
本発明のレンジフードファンによれば、下記のような優れた作用、効果が期待できる。  第１発明のレンジフードファンは、水平面を構成するフード本体上板と、この上板に所定の間隔を置いて同一平面上に位置するように配置する同方向回転の二つの遠心多翼ファンと、これらの駆動ファンの周囲を包囲して各々インボリュート型の送風路を構成する一体のケーシングと、そのケーシングの下面を覆う下板と、両送風路の合流部を仕切り、上板に開設した送風路出口内へ延出するように設ける垂直ガイド体とから成るものである。これにより、フード本体の薄型化と、十分な送風量の確保を合理的に両立せしめると共に、両ファンの共通化及び、二つのファンを設置するフード本体を、上板と、一体化が可能なケーシング、下板の三つの部材により構成することから、二つのファンを具備しても、部品点数の少ない簡素な構成にて製造コストの増大を回避することができる。
また、二つのファンは一体化が可能なケーシングにより送風路を構成しているので、部品点数の削減と共に高い機密性を維持することができる。
【００１０】
第２発明のレンジフードファンは、垂直ガイド体の構成として、下板の両送風路合流位置にて送風路出口へ向け延出し、その両流路側面を送風路内において断面略円弧状に凹曲せしめたものを採用しているので、両送風路から送出される排気は、両送風路内の終端部にて衝突することなく、双方の流れを垂直方向へ円滑に方向変換し、方向変換後、送風路出口から出た時点で双方の流れが初めて合流するようになる。これにより、排気の合流による圧力損出を最小に抑えることができ、二つのファンによる排気効率を効果的に高めることができる。
【００１１】
第３発明のレンジフードファンは、両ファンの構成を共通したものであるから、駆動モータと遠心多翼ファンの他に、二つのファンの部品をより多く共通化してさらに簡素な構造を実現し、製造コストの低減や部品管理の合理化に寄与できる。
【発明を実施するための最良の形態】
【００１２】
以下、本発明のレンジフードファンを実施するための最良の形態を図1乃至図４に基づいて説明する。
図１乃至図３は本発明を実施したレンジフードファンＡであり、上板１を備える本体フレームａに、二つの送風機４ａ，４ｂを左右に間隔を置いて取付けてある。本体フレームａは上板１の周囲四辺に側板１１を下向きに屈曲形成して成り、室内の壁面に背面側を取付固定して水平に設置する。
上記した本体フレームａには二つの送風機４ａ，４ｂを左右に所定の間隔、例えば使用する調理台の左右コンロの間隔に略合わせた間隔を置いて配置してある。これにより、コンロから立ち上る煙の吸気効率を向上することができる。
送風機４ａ，４ｂは、遠心多翼ファンである。本実施例の場合は、シロッコ式ファンであり、駆動モータ４１とシロッコ式ファン４２とからなる駆動ファンユニット4ａ'，4ｂ'を具備している。駆動ファンユニット4ａ'，4ｂ'は全く同じものであり、駆動モータ４１と、その出力軸４１ａに取付けられるシロッコ式ファン４２とから構成し、相互の部品は共通化してある。両送風機４ａ，４ｂは、駆動モータ４１及びシロッコ式ファン４２として比較的小型なものを選定してあり、双方を合わせた送風量が要求される値を充たすように設定する。
また、駆動ファンユニット4ａ'，4ｂのシロッコ式ファン４２は駆動モータ４１側、即ちファンの上面側を凹状に形成し、この凹部４２ａ内に駆動モータ４１を内装するように構成してある。左右の駆動ファンユニット4ａ'，4ｂ'は、駆動モータ４１を上板１に対して下向きに取付固定し、その出力軸４１ａに上記したシロッコ式ファン４２を取付け、同ファンを駆動回転自在に支持している。このようにシロッコ式ファン４２の凹部４２ａ内を利用して駆動モータ４１を納めることにより、フード本体の上部に駆動モータの突出部分がなくなり、レンジフードファンＡ自体を非常に薄く構成することができ、さらには梱包形態も薄くできる。
【００１３】
本体フレームａの上板１の下面側には、一対のシロッコ式ファン４２，４２が間隔を置いて配置されるが、その周囲を包囲するように一体式のケーシング２が取付けられている。
ケーシング２は、両シロッコ式ファン４２，４２の周囲を覆う環状の帯板材であり、一体的に形成されている。ケーシング２の形状はのの字を描くように屈曲する左右の湾曲部２ａ，２ｂをプレス成形若しくは溶接等で一体的に接合して成り、これを両シロッコ式ファン４２，４２の周囲に位置合わせして取付けることにより、その内部にインボリュート型の二つの送風路４０ａ，４０ｂを形成する。
送風機４ａ，４ｂは、図２においてシロッコ式ファン４２が右回転するように構成してあり、各々の送風路４０ａ，４０ｂは、始端部から中央部へ向けて右回りに徐々に拡開して、両送風機４ａ，４ｂの中間部にてそれぞれの終端部を接合し、上板１に開設した送風路出口６に連絡するように構成してある。すなわち、インボリュート型の送風路４０ａ，４０ｂは相互が１８０゜回転した状態で組み合わされた形となる（図２）。
【００１４】
上記したように、一体なケーシング２によって形成された送風路４０ａ，４０ｂの下面側は形状一致する下板３によりカバーし、同送風路４０ａ，４０ｂの気密を保持してある。また、下板3における両送風機４ａ，４ｂの軸芯位置には吸気口7ａ，7ｂを開設し、コンロ台から立ち上る煙等を送風機４ａ，４ｂの回転により吸引するように構成してある。送風機４ａ，４ｂの回転によりケーシング２内に吸引された排気は両送風路４０ａ，４０ｂ内を右回りにカーブしながら通過して送風路出口６へ送出される（図２）。また、上板１に開設した送風路出口６には排気を室外へ排出するダクト８を接続してある。上記した如く構成した空力的な機能部位は、２個のシロッコ式ファン４２を使用して個々のファンを小型且つ薄型にしたことにより、上板から下の本体フレームａを薄くコンパクトにまとめることができ、また構造も極めて簡素にすることが可能である（図１，図４）。
【００１５】
送風路４０ａ，４０ｂの合流部分となる中央部位には、上記したように送風路出口６が開設されているが、この部位はガイド体５が取付けてある。ガイド体５は、両送風路４０ａ，４０ｂ終端部の接合部を仕切ると共に、両送風路４０ａ，４０ｂ内を通過する排気を終端部にて垂直方向へ向けて方向変換して上方に開口する送風路出口６へ向けて送出するように機能する。
【００１６】
ガイド体５は、送風路４０ａ，４０ｂの終端部を仕切る形で下板３の上面に取付固定してあり、上板１に開設した送風路出口６の内部へ向けて延出している（図４）。ガイド体５は断面略山形に突出する板材であり、頂辺部５１を送風路出口６内に臨ませ、その一側及び他側、すなわち送風路４０ａ側と４０ｂ側の側面５２を断面円弧型に湾曲させて構成してある。また、ガイド体５の両端部はケーシング２の送風路始端部の延出部２ｃに密着せしめて、両送風路４０ａ，４０ｂの間を隙間の生じないように仕切っている。
【００１７】
上記ガイド体５は送風路４０ａ，４０ｂ内を通過して来る排気流を送風路出口６へ向けて垂直に方向転換させるものであって、その両側面を上記したように凹曲させることにより、圧力損出を最小限に抑えつつ、排気を垂直に方向変換させて送風路出口６からダクト８へ向けて送出することができる。
また、上記したように構成したガイド体５によれば、両送風路４０ａ，４０ｂから送出つれる二方向からの排気を衝突させることなく方向変換し、方向変換した後に送風路出口６及びダクト８内にて平行流として合流させることができるので方向変換による圧力損出を最小限に抑えることができる。
【００１８】
上記したレンジフードファンＡは比較的小型な送風機を二つ装備し、その送風機４ａ，４ｂの駆動モータ４１の小型化を図っているので、モータが小さくなる分、低回転域の回転制御を容易に行なうことができる。その結果、比較的大型な駆動モータを使用する通常のレンジフードファンと比較すると、微風制御を安定して行なうことが可能となる。
また、レンジフードファンＡは、二つの送風機４ａ，４ｂを備えているが、駆動ファンユニット４ａ'，４ｂ'を同構成、同回転のものを用いて使用部品の共通化を図ると共に、前記したように、空力的な機能部を上板１と、一体的なケーシング２、下板３の３部材から構成してあるので、構造の簡素化も合理的に行なうことができ、組み立て工程や製造コストも低減できる。
【００１９】
上記したレンジフードファンＡは送風機４ａ，４ｂとしてシロッコ式のファンを採用したが、本発明のレンジフードファンに用いるファンは遠心多翼ファンであれば既存のどのようなファンを用いてもよい。
尚、上記したガイド体5の形状は、両送風路４０ａ，４０ｂの終端部を仕切って送風路出口６内へ向けて延出するものであれば、その形状は任意に変更しても良い。例えば断面三角形やくさび形、若しくは垂直に延出する一枚の板であってもよい。
また、ガイド体の先端は送風機出口6内の口縁部で止めても、若しくは送風機出口6からさらにダクト8へ向けて延出させても良い。
【図面の簡単な説明】
【００２０】
【図１】本発明を実施したレンジフードファンの縦断正面図である。
【図２】図１におけるII-II線断面図。
【図３】本発明を実施したレンジフードファンの分解斜視図。
【図４】図２におけるIV-IV線断面図。
【符号の説明】
【００２１】
Ａ・・・レンジフードファン
ａ・・・フード本体
１・・・上板
２・・・ケーシング
３・・・下板
４ａ，４ｂ・・・送風機
４ａ'，４ｂ'・・・駆動ファンユニット
４１・・・駆動モータ
４２・・・シロッコ式ファン
４０ａ，４０ｂ・・・送風路
５・・・ガイド体
６・・・送風路出口
【図１】
0004847109.tif 000002
【図２】
0004847109.tif 000003
【図３】
0004847109.tif 000004
【図４】
0004847109.tif 000005